(57)【要約】      （修正有）【課題】インサートが取り付けられた構造体に断熱パネルを取り付ける断熱施工をより容易にするインサート位置ボルトを提供する。【解決手段】一端にインサートに螺合される雄ネジを有し、他端が錐形状に形成され、他端側に中心軸に直交する貫通孔１３を有するインサート位置ボルトであり、一端側を構造体に取り付けられたインサートのネジ孔に螺合して用いる。【選択図】図１
0003227733.tif 000002
【実用新案登録請求の範囲】
【請求項１】
インサートが取り付けられた構造体の前記インサートのネジ孔の開口側に断熱パネルを取り付ける断熱施工において用いられるインサート位置ボルトであって、
一端が外周に前記インサートの前記ネジ孔に螺合される雄ネジを有し、
他端が錐形状を呈し、
前記他端の近傍に、中心軸に直交する貫通孔を有し、
前記雄ネジを前記インサートの前記ネジ孔に螺合した際に、前記インサートより露出する、前記貫通孔よりも一端側の長さが、前記断熱パネルの厚さよりも長いことを特徴とするインサート位置ボルト。
【請求項２】
前記貫通孔が、前記錐形状の部位よりも前記一端側に位置していることを特徴とする請求項１に記載のインサート位置ボルト。
【請求項３】
前記他端の形状が円錐形であることを特徴とする請求項１又は２に記載のインサート位置ボルト。
【請求項４】
前記構造体がコンクリート製のスラブであり、前記スラブの表面に前記インサートのネジ孔が開口して、前記インサートが前記スラブに埋設されていることを特徴とする請求項１乃至３のいずれか一項に記載のインサート位置ボルト。
【考案の詳細な説明】
【技術分野】
【０００１】
本考案は、ビルなどの建物において、インサートが取り付けられた構造体に断熱パネルを取り付ける断熱施工において用いられるインサート位置ボルトに関する。
【背景技術】
【０００２】
ＲＣ（鉄筋コンクリート）造や、ＳＲＣ（鉄筋鉄骨コンクリート）造などの建物において、躯体に断熱性を付与して断熱構造とする手段としては、ポリウレタンフォームを躯体にスプレー等で吹き付ける工法が広く用いられていた。しかしながら、ポリウレタンフォームを躯体に吹き付ける工法は、工期が長い、５℃以下の環境下では施工できない、さらには、溶接火花による延焼のおそれという問題があった。そこで、ポリウレタンフォームにかわって、ポリスチレン発泡体からなる断熱パネルを接着剤によって躯体に貼り付けて固定する工法が提案されている。
【０００３】
一方、屋内側に必要な設備のために、躯体には予め係る設備を取り付けるためのインサートが取り付けられる。例えば、コンクリート製の天井スラブ或いは上階の床スラブには、電気・通信設備用の配線や、各種配管、化粧板などからなる吊り天井等を吊り下げるための吊りボルトを取り付けるためのインサートが予め埋設される。
【０００４】
上記のようなコンクリート製のスラブに断熱パネルを用いて断熱施工を施す場合には、特許文献１に開示されているように、インサートを取り付ける位置に開口部を形成した断熱パネルを型枠上に載置した後、該開口部内において型枠にインサートを取り付け、その後、コンクリートを打設してスラブを形成し、型枠を取り外すことにより、インサートのネジ孔が断熱パネルの表面に開口した構造とする施工方法がとられている。
【０００５】
しかしながら、特許文献１に開示された施工方法では、インサートを型枠に取り付けるために、断熱パネルに形成する開口部をある程度大きく形成する必要があり、断熱欠損を抑えるために、インサート取り付け後に開口部内に断熱材を充填するため、作業が煩雑である。
【０００６】
一方、型枠に先にインサートを取り付ける場合には、断熱パネルに形成する開口部をより小さくすることができるが、その場合には、インサートの取り付け位置に対応して高精度に開口部を形成する必要がある。また、断熱パネルを載置する際に開口部の位置がインサートの位置からずれていた場合には、新たに開口部を形成し、ずれた開口部を断熱材で埋める作業が必要であり、いずれも作業が煩雑である。
【０００７】
また、デッキプレートのように、表面形状が平坦でない型枠上にスラブを形成する場合には、型枠の形状に合わせて断熱パネルの表面形状を成形するか、型枠の凹部を別途断熱材で埋める必要があり、作業が煩雑である。
【０００８】
コンクリート製スラブを形成し、型枠を外した後に断熱パネルを該スラブに取り付けるのであれば、型枠の形状に関わらず断熱パネルを取り付けることは容易であるが、上記した、型枠に先にインサートを取り付ける場合と同様、インサートの取り付け位置に対応して断熱パネルに高精度に開口部を形成する必要があり、開口部の位置がずれていた場合の作業が煩雑である。
【０００９】
コンクリート製スラブ以外の構造体においても同様に、断熱パネルを取り付ける領域にインサートを取り付ける必要がある場合、インサートを取り付けた後に断熱パネルを取り付けようとすると、インサートの位置に対応して断熱パネルに高精度に開口部を形成する必要があり、断熱パネルを取り付けた後にインサートを形成しようとすると、断熱パネルに大きな開口部を形成し、インサートを取り付けた後に該開口部に断熱材を充填する必要があり、いずれの場合も作業が煩雑であった。
【先行技術文献】
【特許文献】
【００１０】
【特許文献１】特許第５７０７００６号公報
【考案の概要】
【考案が解決しようとする課題】
【００１１】
本考案の目的は、上記課題に鑑み、インサートが取り付けられた構造体に断熱パネルを取り付ける断熱施工をより容易にすることにあり、特に、コンクリート製のスラブに断熱パネルを取り付ける断熱施工において、作業性を向上することにある。
【課題を解決するための手段】
【００１２】
本考案のインサート位置ボルトは、インサートが取り付けられた構造体の前記インサートのネジ孔の開口側に断熱パネルを取り付ける断熱施工において用いられるインサート位置ボルトであって、
一端が外周に前記インサートの前記ネジ孔に螺合される雄ネジを有し、
他端が錐形状を呈し、
前記他端の近傍に、中心軸に直交する貫通孔を有し、
前記雄ネジを前記インサートの前記ネジ孔に螺合した際に、前記インサートより露出する、前記貫通孔よりも一端側の長さが、前記断熱パネルの厚さよりも長いことを特徴とする。
【００１３】
本考案においては、以下の構成を好ましい形態として含む。
前記貫通孔が、前記錐形状の部位よりも前記一端側に位置している。
前記他端の形状が円錐形である。
前記構造体がコンクリート製のスラブであり、前記スラブの表面に前記インサートのネジ孔が開口して、前記インサートが前記スラブに埋設されている。
【考案の効果】
【００１４】
本考案のインサート位置ボルトは、一端が錐形状に形成され、所定の長さを有しているため、他端をインサートに取り付けて断熱パネルを構造体に向けて押し当てると、該インサート位置ボルトが容易に断熱パネルを貫通して、断熱パネルから該一端が突出し、インサートの位置が容易に把握される。よって、インサートの位置に対応して予め断熱パネルに開口部を設ける必要がなく、容易にインサートに所定の部材を取り付けることができる。また、インサート位置ボルトを中心に開口部を設ける場合にも、開口部は必要最小限の大きさで良いため、後から開口部に断熱材を充填する必要がなく、断熱欠損するおそれもない。
【００１５】
よって、本考案によれば、断熱性の高い断熱施工を簡易な作業で、且つ高精度に行うことができる。
【図面の簡単な説明】
【００１６】
【図１】本考案のインサート位置ボルトの構成を模式的に示す正面図と、中心軸を含む断面図である。
【図２】インサートが埋設されたコンクリート製スラブの製造工程を示す断面模式図である。
【図３】本考案のインサート位置ボルトを用いた断熱施工の工程を示す断面模式図である。
【図４】本考案のインサート位置ボルトを用いた断熱施工後の、インサートへの吊りボルトの取り付け工程を示す断面模式図である。
【考案を実施するための形態】
【００１７】
本考案は、インサートが取り付けられた構造体に断熱パネルを取り付ける断熱施工において用いられるインサート位置ボルト（以下、「位置ボルト」と記す。）であって、一端にインサートのネジ孔に螺合される雄ネジ有し、他端が断熱パネルを穿孔するための錐形状に形成され、該他端の近傍に中心軸に直交する貫通孔を有している。また、本考案の位置ボルトは、一端をインサートに螺合して取り付けて用いられ、断熱パネルを貫通した際に、該他端の近傍に形成された貫通孔が断熱パネルから突出する長さを有している。以下、図面を参照して本考案を詳細に説明する。
【００１８】
図１に本考案の位置ボルトの一実施形態の構成を模式的に示す。図１（ａ）は正面図であり、図１（ｂ）は、図１（ａ）において位置ボルトの中心軸Ｐを含み、紙面に平行な方向の断面図であり、図１（ｃ）は、図１（ａ）において位置ボルトの中心軸Ｐを含み、紙面に直交する方向の断面図である。
【００１９】
本考案の位置ボルトは、一端側（紙面上方）のネジ部１１と、他端側（紙面下方）の穿孔部１２とからなり、ネジ部１１は一端側の外周にインサートのネジ孔に螺合される雄ネジを備え、穿孔部１２は錐形状に形成されている。図１の実施形態においては、穿孔部１２が円錐形であるが、本考案においては、穿孔部１２は角錐形であっても構わない。
【００２０】
ネジ部１１において、雄ネジはインサートのネジ孔に螺合されてインサートに固定できれば、ネジ部１１全体に形成されている必要はなく、インサートのネジ孔の深さに応じて位置ボルトの一端側にねじ切り加工を施しておけばよい。また、係る一端側のみ、位置ボルトの外径を円柱状としておけばよい。図１の実施形態においては、穿孔部１２が円錐形であることから、ねじ切り加工する前の外径は円柱状であるが、穿孔部１２が角錐形である場合には、少なくともねじ切り加工を施す部分のみ円柱状としておけば、ねじ切り加工を施さない部位と穿孔部１２との間は、穿孔部１２の角錐形の底面に対応した角柱状であっても構わない。よって、成形加工の容易性を考慮すれば、本考案の位置ボルトの穿孔部１２は円錐形である。
【００２１】
穿孔部１２の錐形状の長さは、長すぎると先端部が破損しやすくなり、また、作業者が触れて傷づくおそれがあるため、断熱パネルを貫通できる範囲で短くしておくことが好ましい。
【００２２】
本考案の位置ボルトには、中心軸Ｐに直交する方向に貫通孔１３を有している。貫通孔１３は、後述するように、位置ボルトをインサートから取り外す際に取り外し工具を通すための部位であり、大きすぎると位置ボルト自体が破損しやすくなるため、取り外し工具が通る範囲で小さく形成しておくことが好ましい。また、貫通孔１３は穿孔部１２にかかっていても構わないが、穿孔部１２はネジ部１１よりも外径が小さくなり、貫通孔１３によって強度が低下するため、貫通孔１３はネジ部１１の穿孔部１２近傍に形成されていることが好ましい。取り外し工具としては、鉄筋結束用のハッカーが好ましく用いられる。
【００２３】
本考案の位置ボルトにおいては、一端（ネジ部１１側）をインサートのネジ孔に螺合して取り付けた際に、インサートから露出する、貫通孔１３よりも一端側の長さが、断熱パネルの厚さより長い。これにより、位置ボルトが断熱パネルを貫通した際に、貫通孔が露出する位置まで断熱パネルより位置ボルトの他端側が突出し、貫通孔に取り外し部材を通して、位置ボルトを容易に取り外すことができる。
【００２４】
本考案の位置ボルトは、断熱パネルを容易に貫通し、繰り返し使用に耐える材料で構成されていればよく、特に、繰り返し螺合する点を鑑みれば、好ましくは鋼材で形成される。
【００２５】
次に、本考案の位置ボルトを用いた断熱施工について、コンクリート製スラブに断熱パネルを取り付ける場合を例に挙げて説明する。
【００２６】
先ず、コンクリート製スラブの製造工程について図２を用いて説明する。図２は、インサートが埋設されたコンクリート製スラブの製造工程を示すスラブの厚さ方向の断面模式図である。
【００２７】
図２（ａ）に示すように、型枠３０上の所定の位置にインサート２０のネジ孔を下方に向けて取り付け、その上に、図２（ｂ）に示すように、コンクリートを打設してスラブ４０を形成する。次いで、型枠３０を取り外すと、図２（ｃ）に示すように、スラブ４０の下面にネジ孔が開口した状態でインサート２０が埋設されたスラブ４０が得られる。尚、便宜上、ネジ孔内のネジ溝は図示を省略する。
【００２８】
インサート２０は、スラブ４０の下方に配線や配管、吊り天井などを吊り下げるための部材、例えば吊りボルトを取り付けるための部材であり、一端に吊りボルトの上端を螺合させるためのネジ孔が開口している。
【００２９】
型枠３０としては、角波形のデッキプレートのように、平坦でない形状の場合もあるが、その場合には、断熱パネルが接する位置、通常は、凹部の底部にインサート２０を取り付ければよい。
【００３０】
次に、本考案のインサート位置ボルトを用いた断熱施工の工程を図３を用いて、また、係る工程に続く吊りボルトの取り付け工程を図４を用いて、それぞれ説明する。図３は、図２（ｃ）に示した、インサート２０が埋設されたコンクリート製のスラブ４０に断熱パネル５０を取り付ける断熱施工の工程を示すスラブ４０の厚さ方向の断面模式図であり、図４は、図３の工程で断熱施工されたスラブ４０に埋設されたインサート２０に吊りボルト６０を取り付ける工程を示すスラブ４０の厚さ方向の断面模式図である。
【００３１】
図３（ａ）に示すように、スラブ４０に埋設されたインサート２０のネジ孔に、本考案の位置ボルト１０のネジ部を螺合する。尚、便宜上、位置ボルト１０のネジ溝は図示を省略する。
【００３２】
次に、図３（ｂ）に示すように、断熱パネル５０をスラブ４０に向けて押し当てて取り付ける。この時、位置ボルト１０の穿孔部１２が錐形状に形成されているため、穿孔部１２の先端が断熱パネル５０を突き破り、位置ボルト１０が断熱パネル５０に容易に貫通する。位置ボルト１０は、インサート２０に取り付けられた図３（ａ）の状態で、インサート２０から露出した、貫通孔１３よりも一端側の長さＨが、断熱パネル５０の厚さＴよりも長いため、貫通孔１３を含めて穿孔部１２側が断熱パネル５０から突出する。
【００３３】
よって、断熱パネル５０から突出した位置ボルト１０によって、スラブ４０に埋設されたインサート２０の位置が正確に把握される。
【００３４】
断熱パネル５０のスラブ４０への取り付け方法は特に限定されないが、接着剤による接着が好ましく適用される。本考案の位置ボルト１０を用いた施工では、位置ボルト１０によっても断熱パネル５０が支持されるため、位置ボルト１０を仮止め部材として利用することが可能である。
【００３５】
図３（ｂ）の状態から、インサート２０より位置ボルト１０を取り外すと、断熱パネル５０には、位置ボルト１０によって貫通した貫通孔が開口部として残る。従って、該開口部に吊りボルトの上端を差し込んでインサート２０に該吊りボルトの上端を螺合して取り付けることができる。しかしながら、開口部内には、位置ボルト１０が断熱パネル５０を切削してできた断熱材の切削粉が付着していたり、また、吊りボルトを貫通孔に差し込む際に吊りボルトの先端によって断熱パネル５０が削られて切削粉が生じたりするおそれがあり、これらの切削粉が吊りボルトの上端に押されてインサート２０のネジ孔内に侵入し、インサート２０のネジ孔に螺合する吊りボルトの長さが短くなり、吊りボルトのスラブ４０への取り付け強度が低下するおそれがある。
【００３６】
そこで、図３（ｃ）に示すように、位置ボルト１０を取り外す前に、位置ボルト１０を目印として、位置ボルト１０の外径よりも内径が大きい円筒状の金物を用いて、位置ボルト１０を中心とする開口部５１を形成することが好ましい。
【００３７】
図４（ａ）は、図３（ｃ）で断熱パネル５０に、位置ボルト１０の外径よりも内径が大きい開口部５１を形成してから、位置ボルト１０をインサート２０から取り外した状態を示す。尚、開口部５１内の断熱材は、位置ボルト１０と一緒に引き出しても良く、また、位置ボルト１０をインサート２０から取り外した後に引き出しても、いずれでも構わない。このように、開口部５１を形成することにより、位置ボルト１０の貫通時に形成された断熱材の切削粉を容易に除去することができる。
【００３８】
インサート２０から位置ボルト１０を取り外す際には、位置ボルト１０に設けた貫通孔１３に取り外し部材を通して位置ボルト１０を回転させれば、容易に位置ボルト１０を取り外すことができる。
【００３９】
位置ボルト１０を取り外した後、図４（ｂ）で示すように、開口部５１を通して吊りボルト６０の上端をインサート２０のネジ孔に螺合することにより、吊りボルト６０はスラブ４０に取り付けられる。開口部５１の内径は位置ボルト１０の外径、即ち、吊りボルト６０の、インサート２０のネジ孔に螺合される部位の外径よりも大きいため、吊りボルト６０をインサート２０に螺合する際に、吊りボルト６０の上端で開口部５１の内壁を削って切削粉を生じるおそれがない。
【００４０】
上記実施形態においては、構造体としてコンクリート製のスラブを例示したが、本考案は、係る形態に限定されるものではなく、コンクリート製以外の鋼材製であってもよく、スラブ以外の柱や梁であってもよく、また、天井以外の壁面にも好ましく適用される。
【００４１】
また、断熱パネルとしては、ポリスチレン発泡板が好ましく用いられるが、ポリスチレン以外の合成樹脂の発泡板も好ましく用いられる。
【符号の説明】
【００４２】
１０：インサート位置ボルト、１１：取り付け部、１２：穿孔部、１３：貫通孔、２０：インサート、３０：型枠、４０：コンクリート、５０：断熱パネル、５１：開口部、６０：吊りボルト
【図１】
0003227733.tif 000003
【図２】
0003227733.tif 000004
【図３】
0003227733.tif 000005
【図４】
0003227733.tif 000006